(57)【要約】ステータは、ステータコアと、ステータコアに取り付けられるインシュレータと、複数のコイル線と、を備える。インシュレータは、ティースの外周面を囲む基部と、コアバックの直上に位置し周方向に沿って延びる外壁部と、を有する。複数のコイル線は、それぞれ、ティースに集中巻きによって巻き付けられる複数のコイルと、複数のコイル同士を繋ぐ渡り線と、当該コイル線の端部に位置しコイルから延び出る一対の引出線と、を有する。複数のコイル線の渡り線は、それぞれ、外壁部の径方向外側で外壁部の外側面に沿って延びる外側通過部を有する。少なくとも１つのコイル線の渡り線は、外壁部の径方向内側を直線状に延び両端においてそれぞれ外側通過部に繋がる内側通過部を有する。内側通過部は、他のコイル線の引出線の径方向内側に位置する。
2019004116.tif 000002
【特許請求の範囲】
【請求項１】
上下方向に沿って延びる中心軸を中心とする環状のコアバックおよび前記コアバックから径方向内側に延びる複数のティースを有するステータコアと、
前記ステータコアに取り付けられるインシュレータと、
前記ティースに前記インシュレータを介して巻き付けられる複数のコイル線と、を備え、
前記インシュレータは、
前記ティースの外周面を囲む基部と、
前記コアバックの直上に位置し周方向に沿って延びる外壁部と、を有し、
複数の前記コイル線は、それぞれ、
前記ティースに集中巻きによって巻き付けられる複数のコイルと、
複数のコイル同士を繋ぐ渡り線と、
当該コイル線の端部に位置し前記コイルから延び出る一対の引出線と、を有し、
複数の前記コイル線の前記渡り線は、それぞれ、前記外壁部の径方向外側で前記外壁部の外側面に沿って延びる外側通過部を有し、
少なくとも１つの前記コイル線の前記渡り線は、前記外壁部の径方向内側を直線状に延び両端においてそれぞれ前記外側通過部に繋がる内側通過部を有し、
前記内側通過部は、他の前記コイル線の前記引出線の径方向内側に位置する、
ステータ。
【請求項２】
前記外壁部には、前記外側通過部と前記内側通過部との境界部において前記渡り線が掛けられる掛部を有する、
請求項１に記載のステータ。
【請求項３】
前記外壁部の上端面は、互いに高さの異なる第１領域および第２領域と、第１領域と第２領域との間を繋ぐ段部と、を有し、
前記段部が、前記掛部を構成する、
請求項２に記載のステータ。
【請求項４】
前記外壁部の上端面には、上側に突出する第１突起が設けられ、
前記第１突起が、前記掛部を構成する、
請求項２に記載のステータ。
【請求項５】
前記外壁部の外側面には、径方向外側に突出する第２突起が設けられ、
前記第２突起が、前記掛部を構成する、
請求項２に記載のステータ。
【請求項６】
前記外壁部の外側面には、径方向外側に突出する凸部が設けられ、
前記外側通過部は、前記凸部の下側に位置する、
請求項１〜５の何れか一項に記載のステータ。
【請求項７】
前記外壁部には、上端から下側に延びる切欠部が設けられ、
前記切欠部は、上側を向く底面を有し、
前記渡り線は、前記切欠部を通って前記外壁部の外側に引き出される、
請求項１〜６の何れか一項に記載のステータ。
【請求項８】
請求項１〜７の何れか一項に記載の前記ステータと、
前記ステータと径方向に隙間をあけて対向し前記中心軸周りに回転するロータと、を有する、
モータ。
【請求項９】
ステータコアに、インシュレータを取り付ける工程と、
複数のコイル線を、それぞれ、渡り線を介して複数のティースに巻き付けてコイルを構成する巻線工程と、を有し、
前記ステータコアは、
上下方向に沿って延びる中心軸を中心とする環状のコアバックと、
前記コアバックから径方向内側に延びる複数の前記ティースと、を有し、
前記インシュレータは、
前記ティースを覆う基部と、
前記コアバックの直上に位置し周方向に沿って延びる外壁部と、を有し、
前記巻線工程において、
複数の前記コイル線のうち先に巻く前記コイル線を第１のコイル線とし、前記第１のコイル線より後から巻く前記コイル線を第２のコイル線として、
前記第１のコイル線の一端を引出線として前記外壁部の径方向外側に引き出した後に、前記第１のコイル線を、渡り線を介して複数の前記ティースに巻き付け、さらに前記第１のコイル線の他端を引出線として前記外壁部の径方向外側に引き出し、
前記第２のコイル線を、渡り線を介して複数の前記ティースに巻き付ける際に、当該渡り線を前記外壁部の径方向外側で前記外壁部の外側面に沿わせるとともに、前記第１のコイル線の前記引出線と径方向に重なる領域において前記外壁部の径方向内側を直線状に延ばす、
ステータの製造方法。
【発明の詳細な説明】
【技術分野】
【０００１】
本発明は、ステータ、モータおよびステータの製造方法に関する。
【背景技術】
【０００２】
一般的に、モータのコイルは、ステータコアのティースにコイル線を巻き付けることで構成される。コイルからは、コイル線の巻き始めおよび巻き終り部分として、引出線が引き出される。また、１本のコイル線を複数のティースに巻き付ける場合、コイルの上側にはコイル同士を繋ぐ渡り線が引き回される。巻線工程において先に巻くコイル線の渡り線が、後に巻くコイル線の経路を阻害しないために、渡り線は、コイルの径方向外側で引き回される。例えば、特許文献１には、コイルの径方向外側に突起を設けて、当該突起に渡り線を沿わせる構造が開示されている。
【先行技術文献】
【特許文献】
【０００３】
【特許文献１】特開２０１４−１０８００７号公報
【発明の概要】
【発明が解決しようとする課題】
【０００４】
従来の構造では、渡り線は、引出線が引き出される領域をも通過するため、渡り線と引出線とが互いに接触する虞があった。  【０００５】
本発明は、上記事情に鑑みて、渡り線と引出線との接触を抑制できるステータ、モータおよびステータの製造方法の提供を目的の一つとする。
【課題を解決するための手段】
【０００６】
本発明のステータの一つの態様は、上下方向に沿って延びる中心軸を中心とする環状のコアバックおよび前記コアバックから径方向内側に延びる複数のティースを有するステータコアと、前記ステータコアに取り付けられるインシュレータと、前記ティースに前記インシュレータを介して巻き付けられる複数のコイル線と、を備える。前記インシュレータは、前記ティースの外周面を囲む基部と、前記コアバックの直上に位置し周方向に沿って延びる外壁部と、を有する。複数の前記コイル線は、それぞれ、前記ティースに集中巻きによって巻き付けられる複数のコイルと、複数のコイル同士を繋ぐ渡り線と、当該コイル線の端部に位置し前記コイルから延び出る一対の引出線と、を有する。複数の前記コイル線の前記渡り線は、それぞれ、前記外壁部の径方向外側で前記外壁部の外側面に沿って延びる外側通過部を有する。少なくとも１つの前記コイル線の前記渡り線は、前記外壁部の径方向内側を直線状に延び両端においてそれぞれ前記外側通過部に繋がる内側通過部を有する。前記内側通過部は、他の前記コイル線の前記引出線の径方向内側に位置する。  【０００７】
本発明のモータの一つの態様は、上述のステータと、前記ステータと径方向に隙間をあけて対向し前記中心軸周りに回転するロータと、を有する。  【０００８】
本発明のステータの製造方法の一つの態様は、ステータコアに、インシュレータを取り付ける工程と、複数のコイル線を、それぞれ、渡り線を介して複数のティースに巻き付けてコイルを構成する巻線工程と、を有する。前記ステータコアは、上下方向に沿って延びる中心軸を中心とする環状のコアバックと、前記コアバックから径方向内側に延びる複数の前記ティースと、を有する。前記インシュレータは、前記ティースを覆う基部と、前記コアバックの直上に位置し周方向に沿って延びる外壁部と、を有する。前記巻線工程において、複数の前記コイル線のうち先に巻く前記コイル線を第１のコイル線とし、前記第１のコイル線より後から巻く前記コイル線を第２のコイル線として、前記第１のコイル線の一端を引出線として前記外壁部の径方向外側に引き出した後に、前記第１のコイル線を、渡り線を介して複数の前記ティースに巻き付け、さらに前記第１のコイル線の他端を引出線として前記外壁部の径方向外側に引き出し、前記第２のコイル線を、渡り線を介して複数の前記ティースに巻き付ける際に、当該渡り線を前記外壁部の径方向外側で前記外壁部の外側面に沿わせるとともに、前記第１のコイル線の前記引出線と径方向に重なる領域において前記外壁部の径方向内側を直線状に延ばす。
【発明の効果】
【０００９】
本発明の一つの態様によれば、渡り線と引出線との接触を抑制できるステータ、モータおよびステータの製造方法を提供できる。
【図面の簡単な説明】
【００１０】
【図１】図１は、一実施形態のモータの断面図である。
【図２】図２は、一実施形態のステータの断面図である。
【図３】図３は、一実施形態のステータの斜視図である。
【図４】図４は、図３の一部を拡大した拡大図である。
【図５】図５は、一実施形態のステータの平面図である。
【図６】図６は、Ｕ相コイルの巻線の手順を示す図である。
【図７】図７は、Ｖ相コイルの巻線の手順を示す図である。
【図８】図８は、Ｗ相コイルの巻線の手順を示す図である。
【図９】図９は、一実施形態の掛部を示す斜視図である。
【図１０】図１０は、変形例１の掛部を示す斜視図である。
【図１１】図１１は、変形例２の掛部を示す斜視図である。
【発明を実施するための形態】
【００１１】
以下、図面を参照しながら、本発明の実施形態に係るモータについて説明する。なお、以下の図面においては、各構成をわかりやすくするために、実際の構造と各構造における縮尺や数等を異ならせる場合がある。  
【００１２】
各図には、適宜Ｘ−Ｙ−Ｚ座標系を示す。本明細書において、Ｚ軸方向は、正の側を上側とし、負の側を下側とする上下方向である。各図に適宜示す中心軸Ｊは、Ｚ軸方向と平行であり、上下方向に延びる仮想線である。以下の説明においては、中心軸Ｊの軸方向、すなわち上下方向と平行な方向を単に「軸方向」と呼び、中心軸Ｊを中心とする径方向を単に「径方向」と呼び、中心軸Ｊを中心とする周方向を単に「周方向」と呼ぶ。各図においては、適宜、周方向を矢印θで示す。  
【００１３】
また、軸方向におけるＺ軸方向の正の側を「上側」と呼び、軸方向におけるＺ軸方向の負の側を「下側」と呼ぶ。また、周方向における上側から下側に向かって見て時計回りに進む側、すなわち矢印θの向きに進む側を「周方向一方側」と呼ぶ。周方向における上側から下側に向かって見て反時計回りに進む側、すなわち矢印θの向きと逆に進む側を「周方向他方側」と呼ぶ。  
【００１４】
なお、上下方向、上側および下側とは、単に各部の配置関係等を説明するための名称であり、実際の配置関係等は、これらの名称で示される配置関係等以外の配置関係等であってもよい。  
【００１５】
＜モータ＞
図１は、本実施形態のモータ１の断面図である。本実施形態のモータ１は、３相交流モータである。また、本実施形態のモータ１は、インナーロータ型のモータである。本実施形態のモータ１の用途は、特に限定されない。モータ１は、例えば、電動ポンプ、および電動パワーステアリング等に搭載される。  
【００１６】
モータ１は、ロータ２と、ステータ３と、ベアリングホルダ４と、ハウジング５と、一対のベアリング６と、を備える。ロータ２は、上下方向に沿って延びる中心軸Ｊを中心としてステータ３に対して相対的に回転する。  
【００１７】
ハウジング５は、底部を有する筒状である。ハウジング５は、内部に、ロータ２、ステータ３、ベアリングホルダ４および一対のベアリング６を収容する。  ベアリングホルダ４は、ステータ３の上側に位置する。ベアリングホルダ４は、ハウジング５の内周面に支持される。  一対のベアリング６は、軸方向に互いに間隔をあけて配置される。一対のベアリング６は、ロータ２のシャフト２ａを支持する。一対のベアリング６のうち、一方はベアリングホルダ４に支持され、他方はハウジング５に支持される。  
【００１８】
＜ロータ＞
ロータ２は、中心軸Ｊ周りに回転する。ロータ２は、ステータ３と径方向に隙間をあけて対向する。ロータ２は、中心軸Ｊを有するシャフト２ａと、ロータコア２ｂと、少なくとも１つのマグネット２ｃと、を備える。  
【００１９】
シャフト２ａは、中心軸Ｊに沿って延びる。本実施形態の例では、シャフト２ａが、軸方向に延びる円柱状である。シャフト２ａは、複数のベアリング６により、中心軸Ｊ回りに回転自在に支持される。シャフト２ａは、上記円柱状に限らず、例えば筒状でもよい。  
【００２０】
ロータコア２ｂは、複数枚の電磁鋼板を軸方向に積層されて構成される。ロータコア２ｂには、軸方向に貫通する中央孔２ｈが設けられる。中央孔２ｈは、軸方向から見てロータコア２ｂの中央に位置する。中央孔２ｈには、シャフト２ａが通される。シャフト２ａは、ロータコア２ｂに直接または間接的に固定される。  
【００２１】
マグネット２ｃは、ロータコア２ｂの外周面に固定される。マグネット２ｃは、ステータ３のティース１２と径方向に対向する。本実施形態のマグネット２ｃは、環状のマグネットである。マグネット２ｃには、周方向に沿ってＮ極とＳ極とが交互に並んで設けられている。なお、ロータ２は、周方向に沿って並ぶ複数のマグネットを有していてもよい。この場合、径方向外側がＮ極となるマグネットと径方向外側がＳ極となるマグネットとが、周方向に交互に並ぶ。
【００２２】
本実施形態のロータ２は、マグネット２ｃがロータコア２ｂの外周面に配置されるＳＰＭ（Surface Permanent Magnet）型のロータである。しかしながら、ロータ２は、マグネットがロータコアの内部に埋め込まれるＩＰＭ（Interior Permanent Magnet）型のロータであってもよい。またロータコア２ｂおよびマグネット２ｃは筒状のロータカバーの内部に収容されてもよい。
【００２３】
＜ステータ＞
ステータ３は、中心軸Ｊを中心とする略環状である。ステータ３は、ステータコア１０と、インシュレータ２０と、複数のコイル線４０と、を有する。コイル線４０は、コイル５０を構成する。  
【００２４】
＜ステータコア＞
ステータコア１０は、ロータ２の径方向外側においてロータ２を囲む。ステータコア１０は、例えば、複数の電磁鋼板が軸方向に積層されて構成される。したがって、ステータコア１０は、一様な断面で軸方向に沿って延びる。本実施形態のステータコア１０は、周方向に沿って分割されていない一体型ステータコアである。  
【００２５】
図２は、ステータ３の断面図である。  図２に示すように、ステータコア１０は、コアバック１１と、複数のティース１２と、複数のアンブレラ部１３と、を有する。  
【００２６】
コアバック１１は、中心軸Ｊを中心とする略円環状である。コアバック１１の外周面は、ハウジング５の内周面に固定される。  
【００２７】
ティース１２は、コアバック１１から径方向内側に延びる。本実施形態において、ステータコア１０には、６つのティース１２が設けられる。ティース１２は、略一様な断面で径方向に沿って延びる。複数のティース１２は、周方向に沿って等間隔に配置される。ティース１２には、インシュレータ２０を介してコイル線４０が巻き付けられる。したがって、周方向に隣接する一対のティース１２同士の間には、コイル線４０が通過する。  
【００２８】
アンブレラ部１３は、ティース１２の径方向内側の先端に位置する。アンブレラ部１３は、ティース１２より周方向に幅広である。すなわち、アンブレラ部１３の周方向に沿う寸法は、ティース１２の周方向に沿う寸法より大きい。アンブレラ部１３の径方向内側を向く面は、軸方向から見て中心軸Ｊを中心とする円弧状である。アンブレラ部１３の径方向内側を向く面は、ロータ２のマグネット２ｃと径方向に対向する。  
【００２９】
＜インシュレータ＞
図１に示すように、インシュレータ２０は、ステータコア１０に取り付けられる。インシュレータ２０は、絶縁性の材料（例えば、絶縁性の樹脂）から構成される。インシュレータ２０は、ステータコア１０とコイル線４０との間に介在して、ステータコア１０とコイル線４０との絶縁を確保する。  
【００３０】
インシュレータ２０は、上ピース２０Ａと下ピース２０Ｂとを有する。上ピース２０Ａおよび下ピース２０Ｂは、それぞれ単一の部材である。上ピース２０Ａおよび下ピース２０Ｂは、それぞれ中心軸Ｊを中心とする略円環状である。上ピース２０Ａは、ステータコア１０に対して上側から取り付けられる。下ピース２０Ｂは、ステータコア１０に対して下側から取り付けられる。上ピース２０Ａは、コアバック１１の上端面とティース１２の周方向両端面の上部領域とを囲む。また、下ピース２０Ｂは、コアバック１１の下端面とティース１２の周方向両端面の下部領域とを囲む。インシュレータ２０は、上ピース２０Ａと下ピース２０Ｂとが、ステータコア１０に対して上下から取り付けられることでティース１２の外周面を囲む。  
【００３１】
上ピース２０Ａと下ピース２０Ｂとは、互いに同形状であっても、互いに異なる形状であってもよい。また、上ピース２０Ａと下ピース２０Ｂとは、単一の部材から構成されていてもよい。すなわち、インシュレータは、単一の筒状部材であってもよい。  
【００３２】
インシュレータ２０は、基部２１と、内壁部２３と、外壁部２４と、を有する。  
【００３３】
基部２１は、ティース１２の外周面を囲む。基部２１は、ティース１２と同数だけ設けられる。本実施形態において、インシュレータ２０には、６つの基部２１が設けられる。本実施形態において、基部２１は、ティース１２の外周面の全体を囲む。しかしながらが、基部２１は、ティース１２とコイル線４０との絶縁を確保できるものであれば、ティース１２の外周面の一部を露出させるものであってもよい。  
【００３４】
内壁部２３は、インシュレータ２０に複数設けられる。それぞれの内壁部２３は、軸方向から見てアンブレラ部１３と重なる。内壁部２３は、周方向に沿って延びる。内壁部２３は、上ピース２０Ａと下ピース２０Ｂとにそれぞれ設けられる。上ピース２０Ａおよび下ピース２０Ｂにおいて、内壁部２３は、それぞれティース１２と同数だけ設けられる。上ピース２０Ａの内壁部２３は、アンブレラ部１３の直上に位置し、アンブレラ部１３の上端面と接触する。下ピース２０Ｂの内壁部２３は、アンブレラ部１３の直下に位置し、アンブレラ部１３の下端面と接触する。内壁部２３は、ティース１２に巻き付けられたコイル線４０が径方向内側に移動することを制限する。  
【００３５】
外壁部２４は、中心軸Ｊを中心とする円環状である。外壁部２４は、上ピース２０Ａと下ピース２０Ｂとにそれぞれ設けられる。上ピース２０Ａの外壁部２４は、コアバック１１の直上に位置しコアバック１１の上端面に接触する。下ピース２０Ｂの外壁部２４は、コアバック１１の直下に位置しコアバック１１の下端面に接触する。すなわち、一対の外壁部２４は、軸方向から見て、コアバック１１と重なる。  
【００３６】
外壁部２４は、周方向に沿って延びる。外壁部２４は、内壁部２３と径方向に対向する。外壁部２４は、ティース１２に巻き付けられたコイル線４０が径方向外側に移動することを制限する。  
【００３７】
図３は、ステータ３の斜視図である。なお、図３は、巻線工程を行った直後のステータ３の状態を示す図である。巻線工程の後には、引出線４１を軸方向に立ち上げる工程が行われる。  
【００３８】
図３に示すように、上ピース２０Ａの外壁部２４には、複数の引出線用切欠部（切欠部）２４ａと、複数の渡り線用切欠部（切欠部）２４ｂと、複数の第１の凸部（凸部）２４ｃと、複数の第２の凸部（凸部）２４ｄと、が設けられる。  
【００３９】
引出線用切欠部２４ａは、上側に開口し外壁部２４の上端面から下側に延びる。引出線用切欠部２４ａは、径方向に貫通する。本実施形態の外壁部２４には、５つの引出線用切欠部２４ａが設けられる。５つの引出線用切欠部２４ａは、それぞれコイル５０の径方向外側に位置する。  
【００４０】
引出線用切欠部２４ａには、コイル線４０の巻線工程において、コイル５０から延び出る引出線４１が通される。引出線４１は、引出線用切欠部２４ａに通されることでコイル５０から径方向外側に向かって引き出された状態となる。これにより、引出線４１は、コイル５０から上側に突出することがなく、巻線工程におけるコイル線４０の経路を阻害しない。なお、引出線用切欠部２４ａに通された引出線４１は、巻線工程を終了後に、上側に立ち上げられる。  
【００４１】
本実施形態において、引出線用切欠部２４ａは、６つのコイル５０のうち、最後に巻き付けられるコイル５０の径方向外側には設けられない。最後に巻き付けられるコイル５０から延び出る引出線４１は、巻線工程の最後に引き出されるため、他のコイル線４０の経路を阻害しない。このため、最後に巻き付けられるコイル５０の引出線４１は、引出線用切欠部２４ａに通す必要がなく、引出線用切欠部２４ａが設けられない。  
【００４２】
渡り線用切欠部２４ｂは、上側に開口し外壁部２４の上端面から下側に延びる。渡り線用切欠部２４ｂは、径方向に貫通する。渡り線用切欠部２４ｂには、コイル線４０の渡り線４２が通過する。すなわち、渡り線４２は、渡り線用切欠部２４ｂを介し外壁部２４の径方向内側から径方向外側に引き回される。  
【００４３】
第１の凸部２４ｃおよび第２の凸部２４ｄは、外壁部２４の径方向外側を向く外側面２４ｐに設けられる。第１の凸部２４ｃおよび第２の凸部２４ｄは、外壁部２４の外側面２４ｐから径方向外側に突出する。第１の凸部２４ｃおよび第２の凸部２４ｄは、外壁部２４の径方向外側で外側面２４ｐに沿って引き回されるコイル線４０の上側に位置する。第１の凸部２４ｃおよび第２の凸部２４ｄは、コイル線４０の上側への移動を制限して、コイル線４０が外壁部２４の上側に乗り上げることを抑制する。  
【００４４】
図３に示すように、外壁部２４の外側面２４ｐには、複数のコイル線４０の渡り線４２が巻き掛けられる。複数の渡り線４２は、外壁部２４の径方向外側において外側面２４ｐに沿って延びる。複数の渡り線４２のうち一対の渡り線４２は、前記外壁部の径方向外側を前記外壁部の外側面２４ｐに沿って上下方向に並んで延びる。一対の渡り線４２は、それぞれ渡り線用切欠部２４ｂを通って外壁部２４の径方向外側に引き出される。  
【００４５】
ここで、上下方向に並んで延びる一対の渡り線４２のうち上側に位置する一方を上側渡り線４２Ａとし、下側に位置する他方を下側渡り線４２Ｂとする。すなわち、下側渡り線４２Ｂは、上側渡り線４２Ａより下側に位置する。  また、上側渡り線４２Ａが通過する渡り線用切欠部２４ｂを上側切欠部（第１の切欠部）２４ｂＡとし、下側渡り線４２Ｂが通過する渡り線用切欠部２４ｂを下側切欠部（第２の切欠部）２４ｂＢとする。以下の説明では、第１の切欠部を上側切欠部と呼び、第２の切欠部を下側切欠部と呼ぶ。  
【００４６】
図４は、ステータ３の部分拡大図である。  図４に示すように、上側切欠部２４ｂＡおよび下側切欠部２４ｂＢは、それぞれ上側を向く底面２４ｂａを有する。下側切欠部２４ｂＢの底面２４ｂａは、上側切欠部２４ｂＡの底面２４ｂａより下側に位置する。  
【００４７】
第１の凸部２４ｃは、下側を向く下面２４ｃａを有する。同様に、第２の凸部２４ｄは、下側を向く下面２４ｄａを有する。第２の凸部２４ｄの下面２４ｄａは、第１の凸部２４ｃの下面２４ｃａより上側に位置する。  
【００４８】
上側切欠部２４ｂＡおよび下側切欠部２４ｂＢの底面２４ｂａ並びに第１の凸部２４ｃおよび第２の凸部２４ｄの下面２４ｃａ、２４ｄａは、上下方向において互いに異なる位置に配置される。これらの上下方向の位置は、上側から下側に向かって、第２の凸部２４ｄの下面２４ｄａ、上側切欠部２４ｂＡの底面２４ｂａ、第１の凸部２４ｃの下面２４ｃａ、下側切欠部２４ｂＢの底面２４ｂａの順である。  
【００４９】
第２の凸部２４ｄの下面２４ｄａは、上側切欠部２４ｂＡの底面２４ｂａより上側に位置する。第２の凸部２４ｄの下面２４ｄａと上側切欠部２４ｂＡの底面２４ｂａと間の上下方向における距離は、コイル線４０の線径より若干大きい。  
【００５０】
上側渡り線４２Ａは、上側切欠部２４ｂＡを通って外壁部２４の径方向外側に引き出される。また、上側渡り線４２Ａは、外壁部２４の外側面２４ｐに沿って周方向に引き回される。上側渡り線４２Ａは、第２の凸部２４ｄの直下を通過する。すなわち、上下方向から見て、上側渡り線４２Ａと第２の凸部２４ｄとは互いに重なる。上側渡り線４２Ａは、第２の凸部２４ｄの下面２４ｄａと接触していてもよい。上側渡り線４２Ａは、上下方向において第２の凸部２４ｄの下面２４ｄａと上側切欠部２４ｂＡの底面２４ｂａとの間で周方向に延びる。本実施形態によれば、上側渡り線４２Ａを第２の凸部２４ｄと上側切欠部２４ｂＡの底面２４ｂａとの間に挟んで配置することで、上側渡り線４２Ａの引き回しを安定させることができる。  
【００５１】
下側切欠部２４ｂＢの底面２４ｂａは、第１の凸部２４ｃの下面２４ｃａより下側に位置する。下側切欠部２４ｂＢの底面２４ｂａと第１の凸部２４ｃの下面２４ｃａとの間の上下方向における距離は、コイル線４０の線径より若干大きい。  
【００５２】
下側渡り線４２Ｂは、下側切欠部２４ｂＢを通って外壁部２４の径方向外側に引き出される。また、下側渡り線４２Ｂは、外壁部２４の外側面２４ｐに沿って周方向に引き回される。下側渡り線４２Ｂは、第１の凸部２４ｃの直下を通過する。すなわち、上下方向から見て、下側渡り線４２Ｂと第１の凸部２４ｃとは互いに重なる。下側渡り線４２Ｂは、第１の凸部２４ｃの下面２４ｃａと接触していてもよい。下側渡り線４２Ｂは、上下方向において第１の凸部２４ｃの下面２４ｃａと下側切欠部２４ｂＢの底面２４ｂａとの間で周方向に延びる。本実施形態によれば、下側渡り線４２Ｂを第１の凸部２４ｃと下側切欠部２４ｂＢの底面２４ｂａとの間に挟んで配置することで、下側渡り線４２Ｂの引き回しを安定させることができる。  
【００５３】
本実施形態において、第２の凸部２４ｄの周方向の幅は、第１の凸部２４ｃの周方向の幅より長い。巻線工程において、第２の凸部２４ｄには、上側渡り線４２Ａが掛けられる。上側渡り線４２Ａは、外壁部２４の上端の近傍を通過する。本実施形態によれば、第２の凸部２４ｄを封方向に長く設けて周方向の十分な長さで上側渡り線４２Ａを把持させることで、上側渡り線４２Ａが外壁部２４から内側に脱落することを効果的に抑制できる。一方で、巻線工程において、第１の凸部２４ｃには、下側渡り線４２Ｂが掛けられる。第１の凸部２４ｃの周方向の長さを短くすることで、下側渡り線４２Ｂを第１の凸部２４ｃに掛け易くできる。  
【００５４】
本実施形態において、上側渡り線４２Ａは、上側切欠部２４ｂＡを通されるため、上側切欠部２４ｂＡの底面２４ｂａより下側に移動し難い。また、下側渡り線４２Ｂは、第１の凸部２４ｃの直下を通過するため、第１の凸部２４ｃの下面２４ｃａより上側に移動し難い。本実施形態において、上側切欠部２４ｂＡの底面２４ｂａは、第１の凸部２４ｃの下面２４ｃａより上側に位置する。したがって本実施形態によれば、上側渡り線４２Ａと下側渡り線４２Ｂとが互いに接触することを抑制できる。
【００５５】
本実施形態において、第１の凸部２４ｃは、周方向において上側切欠部２４ｂＡに隣接して配置される。すなわち、第１の凸部２４ｃは、上側切欠部２４ｂＡの近傍に配置される。このため、第１の凸部２４ｃは、下側渡り線４２Ｂの上側への移動を抑制し、上側切欠部２４ｂＡは、上側渡り線４２Ａの下側への移動を抑制する。本実施形態によれば、第１の凸部２４ｃと上側切欠部２４ｂＡとが周方向に隣接して配置されることで、上側渡り線４２Ａと下側渡り線４２Ｂとが、弛んで互いに接触することを効果的に抑制できる。
【００５６】
＜コイル線＞
次にコイル線４０についてより具体的に説明する。  図５は、ステータ３を模式的に示す平面図である。  
【００５７】
コイル線４０は、ティース１２にインシュレータ２０を介して巻き付けられてコイル５０を構成する。コイル５０は、集中巻きによってティース１２に巻き付けられる。本実施形態のステータ３には、３本のコイル線４０が設けられる。  
【００５８】
以下の説明において３本のコイル線４０を互いに区別する場合、これらをそれぞれ、Ｕ相コイル線（第１のコイル線）４０Ｕ、Ｖ相コイル線（第２のコイル線）４０ＶおよびＷ相コイル線（第３のコイル線）４０Ｗと呼ぶ。  
【００５９】
３本のコイル線４０は、それぞれ複数（本実施形態では２つ）のコイル５０と、複数のコイル５０同士を繋ぐ渡り線４２と、当該コイル線４０の端部に位置しコイル５０から延び出る一対の引出線４１と、を有する。一対の引出線４１のうち、一方はコイル線４０の巻き始めの端部に位置し、他方はコイル線４０の巻き終りの端部に位置する。以下の説明において、一対の引出線４１を互いに区別する場合、巻き始めの端部に位置する一方を始点引出線４１Ａと呼び、巻き終りの端部に位置する他方を終点引出線４１Ｂと呼ぶ。本実施形態において、始点引出線４１Ａおよび終点引出線４１Ｂは、コイル５０の径方向外側の端部から延びる。  
【００６０】
ステータ３に設けられた６個のコイル５０は、２つのＵ相コイル５０Ｕ、２つのＶ相コイル５０Ｖおよび２つのＷ相コイル５０Ｗに分類される。  
【００６１】
図５において、中心軸Ｊに対して＋Ｙ方向（１２時の方向）に位置するティース１２を、第１のティース１２Ａとする。また、第１のティース１２Ａから周方向一方側向かって各ティース１２を、第２〜第６のティース１２Ｂ〜１２Ｆとする。  
【００６２】
２つのＵ相コイル５０Ｕは、Ｕ相コイル線４０Ｕを互いに異なるティース１２に巻き付けることで構成される。２つのＵ相コイル５０Ｕは、それぞれ第１のティース１２Ａおよび第４のティース１２ＤにＵ相コイル線４０Ｕを巻き付けることで構成される。２つのＵ相コイル５０Ｕ同士は、渡り線４２において互いに繋がる。また、２つのＵ相コイル５０Ｕからは、それぞれ引出線４１が引き出される。  
【００６３】
２つのＶ相コイル５０Ｖは、Ｖ相コイル線４０Ｖを互いに異なるティース１２に巻き付けることで構成される。２つのＶ相コイル５０Ｖは、それぞれ第２のティース１２Ｂおよび第５のティース１２ＥにＶ相コイル線４０Ｖを巻き付けることで構成される。２つのＶ相コイル５０Ｖ同士は、渡り線４２において互いに繋がる。また、２つのＶ相コイル５０Ｖからは、それぞれ引出線４１が引き出される。  
【００６４】
２つのＷ相コイル５０Ｗは、Ｗ相コイル線４０Ｗを互いに異なるティース１２に巻き付けることで構成される。２つのＷ相コイル５０Ｗは、それぞれ第３のティース１２Ｃおよび第６のティース１２ＦにＷ相コイル線４０Ｗを巻き付けることで構成される。２つのＷ相コイル５０Ｗ同士は、渡り線４２において互いに繋がる。また、２つのＷ相コイル５０Ｗからは、それぞれ引出線４１が引き出される。  
【００６５】
図６〜図８は、それぞれＵ相コイル線４０Ｕ、Ｖ相コイル線４０ＶおよびＷ相コイル線４０Ｗの巻線の手順を示す図である。なお、図６〜図８は、それぞれ第１〜第６のティース１２Ａ〜１２Ｆを中心軸Ｊ側から（すなわち径方向内側から）見た模式図である。
【００６６】
３本のコイル線４０は、Ｕ相コイル線４０Ｕ、Ｖ相コイル線４０Ｖ、Ｗ相コイル線４０Ｗの順で、ティース１２に巻き付けられる。全てのコイル線４０は、ティース１２に対し中心軸Ｊ側から見て反時計回りで巻き付けられる。
【００６７】
図５に示すように、全てのコイル線４０（Ｕ相コイル線４０Ｕ、Ｖ相コイル線４０ＶおよびＷ相コイル線４０Ｗ）の渡り線４２は、引出部４２ｃと、引入部４２ｄと、外側通過部４２ａと、を有する。  また、Ｖ相コイル線４０ＶおよびＷ相コイル線４０Ｗの渡り線４２は、外壁部２４の径方向内側を直線状に延びる内側通過部４２ｂを有する。すなわち、Ｕ相コイル線４０Ｕの渡り線４２は、内側通過部４２ｂを有さない。  
【００６８】
引出部４２ｃは、ティース１２に巻き付けられたコイル５０から引き出される。引出部４２ｃは、コイル５０から径方向外側に引き出され渡り線用切欠部２４ｂを通り外壁部２４の径方向外側に引き出される。引出部４２ｃは、外側通過部４２ａの周方向他方側の端部に繋がる。  
【００６９】
外側通過部４２ａは、周方向に延びる。外側通過部４２ａは、外壁部２４の径方向外側で外壁部２４の外側面２４ｐに沿って延びる。なお、Ｕ相コイル線４０Ｕは、１つの外側通過部４２ａを有する。一方で、Ｖ相コイル線４０ＶおよびＷ相コイル線４０Ｗは、２つの外側通過部４２ａを有する。Ｖ相コイル線４０ＶおよびＷ相コイル線４０Ｗにおいて、２つの外側通過部４２ａ同士の間には、内側通過部４２ｂが設けられる。  
【００７０】
内側通過部４２ｂの両端は、それぞれ外側通過部４２ａに繋がる。内側通過部４２ｂは、両端部において、それぞれ渡り線用切欠部２４ｂを通る。これにより、内側通過部４２ｂは、外壁部２４の径方向内側を通過する。内側通過部４２ｂは、一対の渡り線用切欠部２４ｂ同士の間を直線状に延びる。  
【００７１】
引入部４２ｄは、外側通過部４２ａの周方向一方側の端部に繋がる。引入部４２ｄは、渡り線用切欠部２４ｂを通り外壁部２４の径方向外側から径方向内側に引き入れられ、コイル５０に繋がる。  
【００７２】
（Ｕ相コイル線）
図６に示すように、Ｕ相コイル線４０Ｕは、まず第１のティース１２Ａに巻き付けられ、次いで第４のティース１２Ｄに巻き付けられる。これにより、Ｕ相コイル線４０Ｕは、一対のＵ相コイル５０Ｕを構成する。第１のティース１２Ａに巻き付けられたＵ相コイル５０Ｕからは、始点引出線４１Ａが延び出る。また、第４のティース１２Ｄに巻き付けられたＵ相コイル５０Ｕからは、終点引出線４１Ｂが延び出る。図５に示すように、Ｕ相コイル線４０Ｕの始点引出線４１Ａおよび終点引出線４１Ｂは、引出線用切欠部２４ａを通って径方向外側に引き出される。  
【００７３】
図５に示すように、一対のＵ相コイル５０Ｕ同士は、渡り線４２を介して繋がる。第１のティース１２Ａに巻き付けられたＵ相コイル５０Ｕからは、渡り線４２の引出部４２ｃが延び出る。引出部４２ｃは、第１のティース１２Ａの径方向外側に位置する渡り線用切欠部２４ｂを通って外壁部２４の径方向外側に引き出されて外側通過部４２ａに繋がる。  
【００７４】
Ｕ相コイル線４０Ｕの渡り線４２は、外側通過部４２ａにおいて、第２のティース１２Ｂおよび第３のティース１２Ｃの径方向外側に位置する外壁部２４の外側面２４ｐに沿って周方向一方側に延びる。Ｕ相コイル線４０Ｕの渡り線４２は、引入部４２ｄにおいて、第４のティース１２Ｄの径方向外側に位置する渡り線用切欠部２４ｂを通って外壁部２４の径方向内側に引き入れられる。Ｕ相コイル線４０Ｕの渡り線４２は、引入部４２ｄの端部において第４のティース１２Ｄに巻き付けられＵ相コイル５０Ｕに繋がる。  
【００７５】
（Ｖ相コイル線）
図７に示すように、Ｖ相コイル線４０Ｖは、まず第５のティース１２Ｅに巻き付けられ、次いで第２のティース１２Ｂに巻き付けられる。これにより、Ｖ相コイル線４０Ｖは、一対のＶ相コイル５０Ｖを構成する。第５のティース１２Ｅに巻き付けられたＶ相コイル５０Ｖからは、始点引出線４１Ａが延び出る。また、第２のティース１２Ｂに巻き付けられたＶ相コイル５０Ｖからは、終点引出線４１Ｂが延び出る。図５に示すように、Ｖ相コイル線４０Ｖの始点引出線４１Ａおよび終点引出線４１Ｂは、引出線用切欠部２４ａを通って径方向外側に引き出される。  
【００７６】
図５に示すように、一対のＶ相コイル５０Ｖ同士は、渡り線４２を介して繋がる。第５のティース１２Ｅに巻き付けられたＶ相コイル５０Ｖからは、渡り線４２の引出部４２ｃが延び出る。引出部４２ｃは、第５のティース１２Ｅの径方向外側に位置する渡り線用切欠部２４ｂを通って外壁部２４の径方向外側に引き出されて外側通過部４２ａに繋がる。
【００７７】
Ｖ相コイル線４０Ｖの渡り線４２は、外側通過部４２ａにおいて、第６のティース１２Ｆの径方向外側に位置する外壁部２４の外側面２４ｐに沿って周方向一方側に延びて、内側通過部４２ｂに繋がる。内側通過部４２ｂは、周方向において第６のティース１２Ｆと第１のティース１２Ａとの間に位置する渡り線用切欠部２４ｂを通り外壁部２４の径方向内側に引き入れられる。
【００７８】
外壁部２４の径方向内側に引き入れられた内側通過部４２ｂは、第１のティース１２Ａの直上を直線状に通過する。Ｖ相コイル線４０Ｖの内側通過部４２ｂは、第１のティース１２Ａに巻き付けられたＵ相コイル５０Ｕの直上を通過する。すなわち、Ｖ相コイル線４０Ｖの内側通過部４２ｂの一部は、軸方向から見て、既に巻き付けられたコイル５０（本実施形態ではＵ相コイル５０Ｕ）と重なる。また、内側通過部４２ｂは、第１のティース１２Ａに巻き付けられたＵ相コイル５０Ｕから延び出る始点引出線４１Ａの径方向内側に位置する。  
【００７９】
第１のティース１２Ａの直上を通過した内側通過部４２ｂは、周方向において第１のティース１２Ａと第２のティース１２Ｂとの間に位置する渡り線用切欠部２４ｂを通り、外壁部２４の径方向外側に引き出される。外壁部２４の径方向外側に引き出された内側通過部４２ｂは、外側通過部４２ａに繋がる。外側通過部４２ａは、外壁部２４の外側面２４ｐに沿って周方向一方側に延びて引入部４２ｄに繋がる。Ｖ相コイル線４０Ｖの引入部４２ｄは、第２のティース１２Ｂの径方向外側に位置する渡り線用切欠部２４ｂを通って外壁部２４の径方向内側に引き入れられる。Ｖ相コイル線４０Ｖの渡り線４２は、引入部４２ｄの端部において第２のティース１２Ｂに巻き付けられＶ相コイル５０Ｖに繋がる。  
【００８０】
（Ｗ相コイル線）
図８に示すように、Ｗ相コイル線４０Ｗは、まず第３のティース１２Ｃに巻き付けられ、次いで第６のティース１２Ｆに巻き付けられる。これにより、Ｗ相コイル線４０Ｗは、一対のＷ相コイル５０Ｗを構成する。第３のティース１２Ｃに巻き付けられたＷ相コイル５０Ｗからは、始点引出線４１Ａが延び出る。また、第６のティース１２Ｆに巻き付けられたＷ相コイル５０Ｗからは、終点引出線４１Ｂが延び出る。図５に示すように、Ｗ相コイル線４０Ｗの始点引出線４１Ａは、引出線用切欠部２４ａを通って径方向外側に引き出される。また、Ｗ相コイル線Ｗの終点引出線４１Ｂは、上側に引き延ばされる。  
【００８１】
図５に示すように、一対のＷ相コイル５０Ｗ同士は、渡り線４２を介して繋がる。第３のティース１２Ｃに巻き付けられたＷ相コイル５０Ｗからは、渡り線４２の引出部４２ｃが延び出る。引出部４２ｃは、第３のティース１２Ｃの径方向外側に位置する渡り線用切欠部２４ｂを通って外壁部２４の径方向外側に引き出されて外側通過部４２ａに繋がる。  
【００８２】
Ｗ相コイル線４０Ｗの渡り線４２は、外側通過部４２ａにおいて、外壁部２４の外側面２４ｐに沿って周方向一方側に延びて、内側通過部４２ｂに繋がる。内側通過部４２ｂは、周方向において第３のティース１２Ｃと第４のティース１２Ｄとの間に位置する渡り線用切欠部２４ｂを通り外壁部２４の径方向内側に引き入れられる。  
【００８３】
外壁部２４の径方向内側に引き入れられた内側通過部４２ｂは、第４のティース１２Ｄおよび第５のティース１２Ｅの直上を直線状に通過する。Ｗ相コイル線４０Ｗの内側通過部４２ｂは、第４のティース１２Ｄに巻き付けられたＵ相コイル５０Ｕおよび第５のティース１２Ｅに巻き付けられたＶ相コイル５０Ｖの直上を通過する。すなわち、Ｗ相コイル線４０Ｗの内側通過部４２ｂの一部は、軸方向から見て、既に巻き付けられたコイル５０（本実施形態ではＵ相コイル５０ＵおよびＶ相コイル５０Ｖ）と重なる。内側通過部４２ｂは、第４のティース１２Ｄに巻き付けられたＵ相コイル５０Ｕから延び出る終点引出線４１Ｂの径方向内側に位置する。また、内側通過部４２ｂは、第５のティース１２Ｅに巻き付けられたＶ相コイル５０Ｖから延び出る始点引出線４１Ａの径方向内側に位置する。  
【００８４】
第４のティース１２Ｄおよび第５のティース１２Ｅの直上を通過した内側通過部４２ｂは、周方向において第５のティース１２Ｅと第６のティース１２Ｆとの間に位置する渡り線用切欠部２４ｂを通り、外壁部２４の径方向外側に引き出される。外壁部２４の径方向外側に引き出された内側通過部４２ｂは、外側通過部４２ａに繋がる。外側通過部４２ａは、外壁部２４の外側面２４ｐに沿って周方向一方側に延びて引入部４２ｄに繋がる。Ｗ相コイル線４０Ｗの引入部４２ｄは、第６のティース１２Ｆの径方向外側に位置する渡り線用切欠部２４ｂを通って外壁部２４の径方向内側に引き入れられる。Ｗ相コイル線４０Ｗの渡り線４２は、引入部４２ｄの端部において第６のティース１２Ｆに巻き付けられＷ相コイル５０Ｗに繋がる。  
【００８５】
＜製造方法＞
次に、ステータ３の製造方法について説明する。  ステータ３の製造方法は、主に、ステータコア１０にインシュレータ２０を取り付ける工程と、巻線工程と、を有する。巻線工程は、複数のコイル線４０を、それぞれ、渡り線４２を介して複数のティース１２に巻き付けてコイル５０を構成する工程である。  
【００８６】
巻線工程は、Ｕ相コイル線４０Ｕ、Ｖ相コイル線４０Ｖ、Ｗ相コイル線４０Ｗの順で、行われる。巻線工程において、始点引出線４１Ａおよび終点引出線４１Ｂは、外壁部２４の渡り線用切欠部２４ｂを通され径方向外側に引き出される。  
【００８７】
３本のコイル線４０の巻線工程を完了した後には、各相のコイル線４０の引出線４１（始点引出線４１Ａおよび終点引出線４１Ｂ）を上側に立ち上げる工程が行われる。この工程により、引出線４１は、軸方向に沿って延ばされる。コイル５０から上側に延ばされた引出線４１には、バスバー等の導電部材を介して、電源装置が接続される。  
【００８８】
コイル線４０の渡り線４２は、順次巻き付けられる他のコイル５０の巻線時に巻線機の経路を阻害しないために、外壁部２４の外側面２４ｐに沿わされて周方向に延ばされて外側通過部４２ａが構成される。  
【００８９】
ここで、Ｕ相コイル線４０ＵおよびＷ相コイル線４０Ｗの巻線工程に着目する。本実施形態の製造方法では、Ｕ相コイル線４０Ｕを巻線した後に、Ｖ相コイル線４０Ｖが巻線される。すなわち、Ｕ相コイル線４０Ｕは、先に巻くコイル線（第１のコイル線）であり、Ｗ相コイル線４０Ｗは、後に巻くコイル線（第２のコイル線）である。  
【００９０】
Ｕ相コイル線４０Ｕの巻線工程において、巻線機（又は巻線作業者）は、Ｕ相コイル線４０Ｕの渡り線４２を、外壁部２４の径方向外側で外壁部２４の外側面２４ｐに沿わせる。これにより、Ｕ相コイル線４０Ｕの渡り線４２には、外側通過部４２ａが設けられる。  
【００９１】
また、Ｖ相コイル線４０Ｖの巻線工程において、巻線機は、Ｖ相コイル線４０Ｖの渡り線４２を、外壁部２４の径方向外側で外壁部２４の外側面２４ｐに沿わせるとともに、Ｕ相コイル線４０Ｕの引出線４１と径方向に重なる領域において外壁部２４の径方向内側を直線状に延ばす。これにより、Ｖ相コイル線４０Ｖの渡り線４２には、外側通過部４２ａと内側通過部４２ｂとが設けられる。また、Ｖ相コイル線４０Ｖの内側通過部４２ｂは、他のコイル線４０（本実施形態ではＵ相コイル線４０Ｕ）の引出線４１の径方向内側を通る。  
【００９２】
従来構造において、コイル線の渡り線は、本実施形態の内側通過部４２ｂを有していない。従来構造の渡り線は、略全長において外壁部の外側を通過し、先に巻き終えたコイル線の引出線の直上を通過する。このため、巻線工程後に引出線を立ち上げるときに、引出線が、他のコイル線の渡り線と接触する。このため、他の相のコイル線同士の絶縁性の確保が不十分になる虞があった。加えて、立ち上げられた引出線が径方向外側に拡がり、ステータの径方向寸法が肥大化するという問題が生じていた。  
【００９３】
本実施形態によれば、後に巻くＶ相コイル線４０Ｖの渡り線４２が、先に巻くＵ相コイル線４０Ｕの引出線４１と径方向に重なる領域において、外壁部２４の径方向内側を通過する。したがって、巻線工程の後に、Ｕ相コイル線４０Ｕの引出線４１を立ち上げても、Ｖ相コイル線４０Ｖの渡り線４２と干渉しない。これにより、Ｕ相コイル線４０ＵとＶ相コイル線４０Ｖと絶縁を確保することができる。また、立ち上げられた引出線４１が径方向外側に拡がることを抑制し、ステータ３の径方向寸法の肥大化を抑制できる。  
【００９４】
なお、ここでは、Ｕ相コイル線４０ＵおよびＶ相コイル線４０Ｖに着目して、先に巻くコイル線４０と後に巻くコイル線４０との関係について説明した。しかしならが、後に巻くコイル線４０としてＷ相コイル線４０Ｗに着目した場合の、先に巻くコイル線（Ｕ相コイル線４０ＵおよびＶ相コイル線４０Ｖ）との関係についても、同様である。  
【００９５】
巻線工程において、コイル線４０は、ティース１２に巻き付けられた後に、一旦、外壁部２４の径方向外側に引き出される。すなわち、巻線工程において、コイル線４０は、ティース１２に巻き付けられた後に直接的に内側通過部４２ｂとして引き出されることがない。また、巻線工程において、コイル線４０は、内側通過部４２ｂを構成した後に、一旦外壁部２４の径方向外側に引き出され、さらにティース１２に巻き付けられる。すなわち、巻線工程において、コイル線４０は、内側通過部４２ｂから直接的にティース１２に巻き付けられることがない。したがって、本実施形態によれば、内側通過部４２ｂは、両端部において外側通過部４２ａに繋がる。  
【００９６】
このため、コイル線４０をティース１２に巻き付ける際に、内側通過部４２ｂが巻線機の経路を阻害しない。また、内側通過部４２ｂは、その両端部において、外壁部２４に巻き掛けられる。このため、内側通過部４２ｂを上下方向と直交する方向に延ばすことができる。結果的に、内側通過部４２ｂと内側通過部４２ｂの直下に位置するコイル５０との接触を抑制でき、ステータ３の性能を安定させることができる。  
【００９７】
本実施形態によれば、Ｖ相コイル線４０ＶおよびＷ相コイル線４０Ｗの渡り線４２は、それぞれ内側通過部４２ｂを有する。内側通過部４２ｂは、直線状に延びるため、外壁部２４の径方向外側を通過させる場合と比較して、渡り線４２を短くすることができる。結果的に、ステータ３の重量およびコイル線４０のコストを低減することができる。  
【００９８】
（掛部）
図９は、Ｖ相コイル線４０Ｖの渡り線４２の一部の斜視図である。  なお、ここでは、Ｖ相コイル線４０Ｖの渡り線４２の構成について説明するが、Ｖ相コイル線４０Ｖと同様に内側通過部４２ｂを有するＷ相コイル線４０Ｗについても同様の構成を採用できる。  
【００９９】
外壁部２４には、掛部２５が設けられる。上述したように、Ｖ相コイル線４０Ｖの渡り線４２は、両端において外側通過部４２ａと繋がる内側通過部４２ｂを有する。内側通過部４２ｂは、外側通過部４２ａとの境界部において、外壁部２４の径方向内側に引き回される。掛部２５には、外側通過部４２ａと内側通過部４２ｂとの境界部において渡り線４２が掛けられる。  
【０１００】
巻線工程において、渡り線４２に弛みが生じないように、渡り線４２には張力が付与される。渡り線４２が、外側通過部４２ａと内側通過部４２ｂとの境界部において掛部２５に掛けられることで、外側通過部４２ａが外壁部２４の径方向内側に移動することを抑制し、外壁部２４の径方向外側に沿わせることができる。  
【０１０１】
外壁部２４は、上側を向く上端面２４ｓを有する。上端面２４ｓは、互いに高さの異なる第１領域２６ａおよび第２領域２６ｂと、第１領域２６ａと第２領域２６ｂとの間を繋ぐ段部２７と、が設けられる。第１領域２６ａは、第２領域２６ｂより高い。本実施形態において、段部２７が、掛部２５を構成する。すなわち、渡り線４２は、外側通過部４２ａにおいて周方向に沿って延びて段部２７に掛けられることで、内側通過部４２ｂとして外壁部２４の径方向内側に引き回される。  
【０１０２】
本実施形態によれば、外壁部２４には高さ違の第１領域２６ａおよび第２領域２６ｂが設けられ、第１領域２６ａと第２領域２６ｂとの間の段部２７が掛部２５を構成する。そのため、巻線機のノズルを上下方向に大きく移動させることなく、渡り線４２を掛部２５にかけることができ、巻線工程の時間を短縮することができる。また、第２領域２６ｂが第１領域２６ａより低いため、巻線機のノズルが第２領域２６ｂにおいて外壁部２４に接触することを抑制することができる。  
【０１０３】
（掛部の変形例１）
次に、本実施形態に採用可能な変形例１の掛部１２５について、図１０を基に説明する。  なお、上述の実施形態と同一態様の構成要素については、同一符号を付し、その説明を省略する。  
【０１０４】
上述の実施形態と同様に、本変形例の掛部１２５には、外側通過部４２ａと内側通過部４２ｂとの境界部において渡り線４２が掛けられる。本変形例の掛部１２５は、外壁部２４の上端面２４ｓに設けられる。本変形例において、掛部１２５は、外壁部２４の上端面２４ｓから上側に突出する第１突起１２７である。すなわち、第１突起１２７は、掛部１２５を構成する。  
【０１０５】
渡り線４２は、外側通過部４２ａにおいて周方向に沿って延びて第１突起１２７に掛けられることで、内側通過部４２ｂとして外壁部２４の径方向内側に引き回される。渡り線４２は、外側通過部４２ａにおいて周方向に沿って延びて第１突起１２７に掛けられて、内側通過部４２ｂとして外壁部２４の径方向内側に引き回される。  
【０１０６】
（掛部の変形例２）
次に、本実施形態に採用可能な変形例２の掛部２２５について、図１１を基に説明する。  なお、上述の実施形態と同一態様の構成要素については、同一符号を付し、その説明を省略する。
【０１０７】
上述の実施形態と同様に、本変形例の掛部２２５には、外側通過部４２ａと内側通過部４２ｂとの境界部において渡り線４２が掛けられる。本変形例の掛部２２５は、外壁部２４の外側面２４ｐに設けられる。本変形例において、掛部２２５は、外壁部２４の外側面２４ｐから径方向外側に突出する第２突起２２７である。すなわち、第２突起２２７は、掛部１２５を構成する。
【０１０８】
渡り線４２は、外側通過部４２ａにおいて周方向に沿って延びて第２突起２２７に掛けられることで、内側通過部４２ｂとして外壁部２４の径方向内側に引き回される。渡り線４２は、外側通過部４２ａにおいて周方向に沿って延びて第２突起２２７に掛けられて、内側通過部４２ｂとして外壁部２４の径方向内側に引き回される。  
【０１０９】
以上に、本発明の実施形態およびその変形例を説明したが、実施形態および変形例における各構成およびそれらの組み合わせ等は一例であり、本発明の趣旨から逸脱しない範囲内で、構成の付加、省略、置換およびその他の変更が可能である。また、本発明は実施形態によって限定されることはない。  
【０１１０】
例えば、上述の実施形態のステータ３は、６個のコイル５０を有する。しかしながら、ステータ３のコイル５０の数は、本実施形態に限定されない。  また、上述の実施形態では、１本のコイル線４０により２つのコイル５０が構成される。しかしながら、１本のコイル線４０により３つ以上のコイルが構成されていてもよい。
【符号の説明】
【０１１１】
１…モータ、２…ロータ、３…ステータ、１０…ステータコア、１１…コアバック、１２…ティース、２０…インシュレータ、２１…基部、２４…外壁部、２４ａ…引出線用切欠部（切欠部）、２４ｂ…渡り線用切欠部（切欠部）、２４ｃ…第１の凸部（凸部）、２４ｄ…第２の凸部（凸部）、２４ｐ…外側面、２４ｓ…上端面、２５，１２５，２２５…掛部、２６ａ…第１領域、２６ｂ…第２領域、２７…段部、４０…コイル線、４０Ｕ…Ｕ相コイル線（第１のコイル線）、４０Ｖ…Ｖ相コイル線（第２のコイル線）、４０Ｗ…Ｗ相コイル線、４１…引出線、４２…渡り線、４２ａ…外側通過部、４２ｂ…内側通過部、４２Ａ…上側渡り線、４２Ｂ…下側渡り線、５０…コイル、１２７…第１突起、２２７…第２突起、２４ｂＡ…上側切欠部（第１の切欠部）、２４ｂａ…底面、２４ｃａ，２４ｄａ…下面、２４ｂＢ…下側切欠部（第２の切欠部）、Ｊ…中心軸
【図１】
2019004116.tif 000003
【図２】
2019004116.tif 000004
【図３】
2019004116.tif 000005
【図４】
2019004116.tif 000006
【図５】
2019004116.tif 000007
【図６】
2019004116.tif 000008
【図７】
2019004116.tif 000009
【図８】
2019004116.tif 000010
【図９】
2019004116.tif 000011
【図１０】
2019004116.tif 000012
【図１１】
2019004116.tif 000013
【国際調査報告】
2019004116.tif 000014
2019004116.tif 000015
2019004116.tif 000016
2019004116.tif 000017